(57)【要約】【課題】１つのトリマー抵抗で複数の調整電圧を調整を行えるようにする。【解決手段】ゲイン設定回路２４は、調整用トリマー抵抗７１、Ａ／Ｄ変換回路７２と、ＥＶＲコントロール回路７３と、ＤＩＰスイッチ７４と、ＥＶＲ７５とを含んで構成される。ＥＶＲ７５は、調整するための調整電圧を出力可能な出力チャンネルを複数有する電子ボリューム手段となっている。Ａ／Ｄ変換回路７２、ＥＶＲコントロール回路７３及びＤＩＰスイッチ７４は、前記電子ボリューム手段の前記出力チャンネルを選択可能な出力チャンネル選択手段となっている。トリマー抵抗７１は、前記出力チャンネル選択手段で選択された出力チャンネルからの調整電圧を変更可能になっている。【選択図】  図２
2004166914.tif 000002
【特許請求の範囲】
【請求項１】
調整するための調整電圧を出力可能な出力チャンネルを複数有する電子ボリューム手段と、
前記電子ボリューム手段の前記出力チャンネルを選択可能な出力チャンネル選択手段と、
前記出力チャンネル選択手段で選択された出力チャンネルからの調整電圧を変更可能なトリマー抵抗と、
を具備したことを特徴とする電子機器。
【請求項２】
調整するための調整電圧を出力可能な出力チャンネルを複数有する電子ボリューム手段と、
前記電子ボリューム手段の前記出力チャンネルを選択可能な選択信号を出力する出力チャンネル選択手段と、
前記調整電圧を変更可能なトリマー抵抗と、
前記トリマー抵抗の出力と前記選択信号とに基づき、前記電子ボリューム手段を制御する電子ボリューム制御手段と、
を具備したことを特徴とする電子機器。
【発明の詳細な説明】
【０００１】
【発明の属する技術分野】
本発明は、調整するための調整電圧を出力可能な電子機器に係り、特に内視鏡装置の信号処理装置の色調整に好適な電子機器に関する。
【０００２】
【従来の技術】
従来、電子内視鏡装置は、撮像素子を設けた挿入部を体腔内に挿入し患部を撮像し、この撮像信号を信号処理する電子内視鏡と、電子内視鏡に照明光を供給する光源装置とから構成している。
【０００３】
このような電子内視鏡装置の光源装置には光源ランプとしてメタルハライドランプとキセノンランプ等の各種光源ランプが用いられている。これらのランプはそれぞれ色温度が異なるため、使用ランプによって電子内視鏡が撮像した画像の色再現が異なってしまう。そこで、電子内視鏡の信号処理装置内の映像信号のゲイン設定回路において、各種光源用に複数の色調整トリマー抵抗を設け、これら色調整トリマー抵抗の調整を行うことで、電子内視鏡から出力される画像の色再現性を一定にするものがある（例えば、特許文献１参照）。
【０００４】
【特許文献１】
特開２００１−２１２０７９号公報（第４−８頁、図４−９）
【０００５】
【発明が解決しようとする課題】
このような従来の電子内視鏡装置では、映像信号のゲイン設定回路において、各種光源用に複数の色調整トリマー抵抗を設けているため、回路規模が増大し、調整が複雑になっていた。
【０００６】
本発明は、前記事情に鑑みてなされたものであり、１つのトリマー抵抗で複数の調整電圧を調整を行うことが出来る電子機器を提供することを目的としている。
【０００７】
【課題を解決するための手段】
前記目的を達成するため請求項１に記載の電子機器は、調整するための調整電圧を出力可能な出力チャンネルを複数有する電子ボリューム手段と、前記電子ボリューム手段の前記出力チャンネルを選択可能な出力チャンネル選択手段と、前記出力チャンネル選択手段で選択された出力チャンネルからの調整電圧を変更可能なトリマー抵抗と、を具備したことを特徴とする。
【０００８】
請求項２に記載の電子機器は、調整するための調整電圧を出力可能な出力チャンネルを複数有する電子ボリューム手段と、前記電子ボリューム手段の前記出力チャンネルを選択可能な選択信号を出力する出力チャンネル選択手段と、前記調整電圧を変更可能なトリマー抵抗と、前記トリマー抵抗の出力と前記選択信号とに基づき、前記電子ボリューム手段を制御する電子ボリューム制御手段と、を具備したことを特徴とする。
【０００９】
【発明の実施の形態】
以下、本発明の実施の形態を図面を参照して説明する。
（実施の形態）
図１乃至図５は本発明の実施の形態に係り、図１は内視鏡装置の全体構成を示すブロック図、図２はゲイン設定回路を示すブロック図、図３はＥＶＲコントロール回路を示すブロック図、図４はＥＶＲコントロール回路が出力するシリアル信号を示す説明図、図５はＥＶＲの要部を示すブロック図である。
【００１０】
（構成）
図１に示すように、内視鏡装置１は、内視鏡２と、光源装置３とを含んで構成されている。内視鏡２は、体腔内に挿入して被写体像を観察するためのものである。光源装置３は、内視鏡２に供給する照明光を発生する。
【００１１】
さらに詳細に説明すると、前記内視鏡２は、挿入部１１と、操作部１２と、ライトガイド１３と、配光光学系１４と、対物光学系１５と、ＣＣＤ（ｃｈａｒｇｅ−ｃｏｕｐｌｅｄ  ｄｅｖｉｃｅ）撮像素子１６と、波形成形回路１７と、ビデオプロセッサ１８と、ホワイトバランス調整スイッチ１９とを含んで構成されている。
【００１２】
挿入部１１は、体腔内に挿入するためのものであり、細長に形成されている。操作部１２は、内視鏡２を把持し操作するためのものであり、挿入部１１の基端側に連設されている。
【００１３】
ライトガイド１３は、前記挿入部１１内及び前記操作部１２内を挿通し、前記光源装置３から発せられる照明光を挿入部１１先端まで導光する。
【００１４】
配光光学系１４は、前記挿入部１１先端に設けられ、前記ライトガイド１３から出射される照明光を被写体へ向けて配光する。
【００１５】
対物光学系１５は、前記挿入部１１先端に設けられ、被写体像を結像する。
【００１６】
ＣＣＤ撮像素子１６は、前記挿入部１１先端の前記対物光学系１５の結像位置に受光面が配置され、被写体像を撮像するための撮像手段となっている。
【００１７】
波形成形回路１７は、前記ＣＣＤ撮像素子１６の後端側近傍に設けられ、前記ＣＣＤ撮像素子１６が入出力する信号を波形成形する。
【００１８】
ビデオプロセッサ１８は、前記操作部１２に設けられ、前記波形成形回路１７を介して前記ＣＣＤ撮像素子１６を駆動制御し、前記ＣＣＤ撮像素子１６で得られた撮像信号からモニター表示可能な映像信号を得る機能などを有する。
【００１９】
ホワイトバランス調整スイッチ１９は、前記ビデオプロセッサ１８が映像信号に対してホワイトバランス調整を施す際の調整位置を前記ビデオプロセッサ１８へ与える。
【００２０】
前記ビデオプロセッサ１８は、映像信号処理回路２１と、制御マイクロプロセッサ２２と、ＲＯＭ２３と、ゲイン設定回路２４とを含んで構成されている。
【００２１】
映像信号処理回路２１は、前記ＣＣＤ撮像素子１６を駆動制御し、前記ＣＣＤ撮像素子１６で得られた撮像信号からモニタ表示可能な映像信号を得る。
【００２２】
制御マイクロプロセッサ２２は、前記映像信号処理回路２１などのビデオプロセッサ１８各部を制御する。
【００２３】
ＲＯＭ２３は、前記制御マイクロプロセッサ２２が実行するソフトウェアを格納する。
【００２４】
ゲイン設定回路２４は、制御マイクロプロセッサ２２が参照するゲイン情報を設定する。この場合、制御マイクロプロセッサ２２は、ゲイン設定回路２４からのゲイン情報を参照して、前記映像信号処理回路２１が処理する映像信号のゲインを調整する。
【００２５】
前記映像信号処理回路２１は、映像信号処理用デジタル信号処理回路（以下、映像信号処理用ＤＳＰと呼ぶ）３１と、ドライブアンプ３２と、プリアンプ３３と、相関二重サンプリング回路（以下、ＣＤＳ回路と呼ぶ）３４と、アナログ／デジタル変換回路（以下、Ａ／Ｄ変換回路と呼ぶ）３５を含んで構成されている。
【００２６】
映像信号処理用ＤＳＰ３１は、前記ＣＣＤ撮像素子１６を駆動する駆動信号を発生し、前記ＣＣＤ撮像素子１６で得られた撮像信号を変換して得られたデジタル映像信号を入力し、モニタ表示可能な映像信号を得る機能を有する。
【００２７】
ドライブアンプ３２は、映像信号処理用ＤＳＰ３１から出力される駆動信号を増幅し、前記波形成形回路１７を介して前記ＣＣＤ撮像素子１６へ駆動信号を与える。
【００２８】
プリアンプ３３は、前記波形成形回路１７を介して前記ＣＣＤ撮像素子１６から得られた撮像信号を増幅する。
【００２９】
ＣＤＳ回路３４は、このプリアンプ３３から出力される撮像信号にＣＤＳ処理を施して映像信号成分を抽出する。
【００３０】
Ａ／Ｄ変換回路３５は、このＣＤＳ回路３４で得られた映像信号をデジタル信号に変換して前記映像信号処理用ＤＳＰ３１へ与える。
【００３１】
前記映像信号処理用ＤＳＰ３１は、標準信号発生器（以下、ＳＳＧと呼ぶ）４１と、ＣＣＤ撮像素子駆動タイミング信号発生器（以下、ＣＣＤ駆動ＴＧ４２と呼ぶ）と、色分離回路４３と、ホワイトバランス調整用可変デジタルアンプ４４と、デジタルエンコーダ４５とを含んで構成されている。
【００３２】
ＳＳＧ４１は、駆動信号を生成する基本となる信号及び前記映像信号処理回路２１が動作する際の基本となる信号を同期的に発生する。
【００３３】
ＣＣＤ駆動ＴＧ４２は、このＳＳＧ４１から与えられる基本信号に従い、駆動信号を発生してドライブアンプ３２に供給する。
【００３４】
色分離回路４３は、前記ＳＳＧ４１から与えられる同期信号に従って動作し、前記Ａ／Ｄ変換回路３５から与えられるデジタル映像信号からデジタルの輝度信号Ｙ及び色差信号Ｒ−Ｙ、Ｂ−Ｙを得る。
【００３５】
ホワイトバランス調整用可変デジタルアンプ４４は、前記ゲイン設定回路２４及びホワイトバランス調整スイッチ１９の状態に応じて制御マイクロプロセッサ２２で制御され、色分離回路４３からの前記色差信号Ｒ−Ｙ、Ｂ−Ｙのそれぞれをデジタル増幅してホワイトバランスを調整する。
【００３６】
デジタルエンコーダ４５は、前記色分離回路４３から入力される輝度信号Ｙ及び前記ホワイトバランス調整用可変デジタルアンプ４４から入力される色差信号Ｒ−Ｙ、Ｂ−Ｙから成る映像信号にデジタル変調を施してＤ／Ａ変換し、モニタ表示可能な映像信号であるＹ／Ｃ分離映像信号及びコンポジット映像信号を得る。
【００３７】
光源装置３は、光源ランプ６１と、集光光学系６２と、識別信号発生回路６３とを含んで構成される。
【００３８】
集光光学系６２は、光源ランプ６１からの照明光を内視鏡２のライトガイド１３の基端側に導く。光源ランプ６１としてはメタルハライドランプとキセノンランプが交換可能になっている。
【００３９】
識別信号発生回路６３は、例えば、光源ランプ６１からの照明光のカラーバランスを検出することで、光源ランプ６１がメタルハライドランプかキセノンランプかを識別し、この識別結果の光源識別信号信号をビデオプロセッサ１８の制御マイクロプロセッサ２２に供給する。
【００４０】
制御マイクロプロセッサ２２は、識別信号発生回路６３からの光源識別信号をゲイン設定回路に供給する。
【００４１】
図２を用いてゲイン設定回路２４の詳細を説明する。
図２に示すように、ゲイン設定回路２４は、調整用トリマー抵抗７１と、Ａ／Ｄ変換回路７２と、電子ボリュームコントロール回路（以下、ＥＶＲコントロール回路と呼ぶ）７３と、ディップ・スイッチ（以下、ＤＩＰスイッチと呼ぶ）７４と、電子ボリューム（以下、ＥＶＲと呼ぶ）７５とを含んで構成される。
【００４２】
調整用トリマー抵抗７１は、メタルハライドランプとキセノンランプ用のＲゲイン及びＢゲインを調整するための可変抵抗である。調整用トリマー抵抗７１の一端は基準電位点に接続され、調整用トリマー抵抗７１の他端には一定の直流電圧Ｖｃｃが印可されている。調整用トリマー抵抗７１の摺動接点はＡ／Ｄ変換回路７２の入力端子に接続される。調整用トリマー抵抗７１の摺動接点からは調整された出力電圧が得られる。
【００４３】
調整用トリマー抵抗７１で調整された出力は、Ａ／Ｄ変換回路７２でデジタル値に変換され、ＥＶＲコントロール回路７３に入力される。
【００４４】
ＥＶＲコントロール回路７３は、ＤＩＰスイッチ７４も接続され、ＤＩＰスイッチ７４によって設定されたＥＶＲ７５のチャンネルを設定する。
【００４５】
ＥＶＲ７５は、ＥＶＲコントロール回路７３からの信号をもとにＲゲイン調整値とＢゲイン調整値をそれぞれ出力する。
【００４６】
次に、図３を用いてＥＶＲコントロール回路７３について詳細に説明する。
【００４７】
図３に示すように、ＥＶＲコントロール回路７３は、チャンネル設定部８１と、メモリ書き込み信号発生部８２と、データ作成部８３とを含んで構成される。
【００４８】
ＥＶＲコントロール回路７３は、ＤＩＰスイッチ７４の設定値を読み込み、チャンネル設定部８１とメモリ書き込み信号発生部８２に入力する。
【００４９】
データ作成部８３は、Ａ／Ｄ変換回路７２から供給されるトリマー調整電圧データと、チャンネル設定部８１から供給されるチャンネル設定データと、メモリ書き込み信号発生部８２で発生されるメモリ書き込み信号を合成し、図４に示すようにシリアル信号ａ１に変換する。
【００５０】
図４に示すように、シリアル信号ａ１は、先頭からＤ０，Ｄ１，Ｄ２…Ｄ７がトリマー調整電圧データ、次のＡ０，Ａ１がチャンネル設定データ、最後のＷＲがメモリ書き込み信号になっている。
【００５１】
次に、図５を用いてＥＶＲ７５について詳細に説明する。
図５に示すように、ＥＶＲ７５は、パラレル／シリアル変換部９１と、データバス９２と、メモリ９３と、チャンネル１，２，３，４のＤ／Ａ変換部９４−１，９４−２，９４−３，９４−４と、図示しない出力選択切り換え回路と、制御回路とを用いて構成されている。
【００５２】
ＥＶＲ７５は、ＥＶＲコントロール回路７３より入力されたシリアル信号ａ１をパラレル／シリアル変換部９１でパラレル信号に変換し、データバス９２に供給する。
【００５３】
データバス９２はメモリ９３に接続されている。ＥＶＲ７５の制御回路は、メモリ書き込み信号に応じてトリマー調整電圧データとチャンネル設定データをメモリ９３に書き込む。データバス９２は、Ｄ／Ａ変換部９４−１、９４−２，９４−３，９４−４とも接続される。さらに、ＥＶＲ７５の制御回路は、メモリ９３から各チャンネル設定データに対応するトリマー調整電圧データを読み出して、各チャンネル設定データと一致するチャンネルのＤ／Ａ変換部９４−１，９４−２，９４−３，９４−４に供給する。
【００５４】
Ｄ／Ａ変換部９４−１，９４−２，９４−３，９４−４は、供給される各チャンネルのトリマー調整電圧データをＤ／Ａ変換してアナログのトリマー調整電圧を出力する。
【００５５】
ＥＶＲ７５の出力選択切り換え回路は、制御マイクロプロセッサ２２からの光源識別信号に基づいてＤ／Ａ変換部９４−１，９４−２，９４−３，９４−４の出力を選択してＲゲイン調整値、Ｂゲイン調整値として図１の制御マイクロプロセッサ２２に導く。
【００５６】
ここで、Ｄ／Ａ変換部９４−１の出力となるチャンネル１はメタルハライドランプのＲゲイン調整用チャンネルであり、Ｄ／Ａ変換部９４−２の出力となるチャンネル２はメタルハライドランプのＢゲイン調整用チャンネル、Ｄ／Ａ変換部９４−３の出力となるチャンネル３はキセノンランプのＲゲイン調整用チャンネルであり、Ｄ／Ａ変換部９４−４の出力となるチャンネル４はキセノンランプのＢゲイン調整用チャンネルである。
【００５７】
ＥＶＲ７５の出力選択切り換え回路は、制御マイクロプロセッサ２２からの光源識別信号がメタルハライドランプを示す場合、Ｄ／Ａ変換部９４−１，９４−２の出力を選択し、制御マイクロプロセッサ２２からの光源識別信号がキセノンランプを示す場合、Ｄ／Ａ変換部９４−３，９４−４の出力を選択する。
【００５８】
このような構成により、ＥＶＲ７５は、調整するための調整電圧を出力可能な出力チャンネルを複数有する電子ボリューム手段となっている。
【００５９】
Ａ／Ｄ変換回路７２、ＥＶＲコントロール回路７３及びＤＩＰスイッチ７４は、前記電子ボリューム手段の前記出力チャンネルを選択可能な出力チャンネル選択手段となっている。
【００６０】
トリマー抵抗７１は、前記出力チャンネル選択手段で選択された出力チャンネルからの調整電圧を変更可能になっている。
【００６１】
また、ＤＩＰスイッチ７４は、前記電子ボリューム手段の前記出力チャンネルを選択可能な選択信号を出力する出力チャンネル選択手段となっている。
【００６２】
トリマー抵抗７１は、前記調整電圧を変更可能になっている。
Ａ／Ｄ変換回路７２及びＥＶＲコントロール回路７３は、前記トリマー抵抗７１の出力と前記選択信号とに基づき、前記電子ボリューム手段を制御する電子ボリューム制御手段となっている。
【００６３】
ＥＶＲコントロール回路７３は、Ａ／Ｄ変換回路７２からのデジタル出力をＥＶＲ７５に供給する。
【００６４】
（作用）
本実施の形態では、光源装置３には光源ランプ６１としてメタルハライドランプとキセノンランプを用いたものがある。これらのランプは色温度が異なるため、使用ランプによって内視鏡２のＣＣＤ撮像素子１６が撮像した画像の色再現が異なってしまう。ビデオプロセッサ１８は光源装置３の識別信号発生回路６３の信号を基にどちらのランプを使用しているか判別し、赤色（Ｒ）のゲインと青色（Ｂ）のゲインを変更することで、どちらのランプの場合でも同様な色再現となるように調整する。
【００６５】
この場合、ゲイン設定回路２４は、識別信号発生回路６３の光源判別信号をもとに、それぞれのランプに対応したＲゲインとＢゲインを発生し、制御マイクロプロセッサ２２に供給する。
【００６６】
それぞれのランプに対応したＲゲインとＢゲインの調整方法について以下に説明する。
【００６７】
メタルハライドランプに対応したＲゲインの調整を行う場合、ユーザーは、まず、光源装置３に光源ランプ６１としてメタルハライドランプを取り付け、内視鏡装置１全体をオン状態にし、ホワイトバランス調整スイッチ１９をオンにして、内視鏡の先端部２でサンプル等の被写体の撮像を行いながらＤＩＰスイッチ７４に対してメタルハライドランプに対応したＲゲインの調整の選択操作を行う。
【００６８】
この状態では、メタルハライドランプからの照明光が集光光学系６２、ライトガイド１３及び配光光学系１４を介して被写体へ照射され、被写体からの反射光が対象光学系１５を介してＣＣＤ撮像素子１６に撮像される。
【００６９】
これにより、内視鏡２に接続されたモニタには、メタルハライドランプからの照明光により照明された被写体の映像が表示される。ホワイトバランス調整用可変デジタルアンプ４４は、Ｄ／Ａ変換部９４−１，９４−２の出力に基づいてホワイトバランス調整を行う。この状態で、ユーザーは、ＤＩＰスイッチ７４に対してメタルハライドランプに対応したＲゲインの調整の選択操作を行う。
【００７０】
これにより、チャンネル設定部８１は、メタルハライドランプに対応したＲゲイン調整用チャンネルであるチャンネル１のチャンネル設定データを出力する。信号発生部８２は、メモリ書き込み信号を出力する。
【００７１】
次に、ユーザーは、トリマー抵抗７１を操作して、トリマー抵抗７１の摺動接点からの電圧を変化させる。これにより、データ作成部８３が出力するシリアル信号ａ１は、先頭からＤ０，Ｄ１，Ｄ２…Ｄ７がトリマー抵抗７１の摺動接点からの電圧を示すトリマー調整電圧データ、次のＡ０，Ａ１がチャンネル１を示すチャンネル設定データ、最後のＷＲがメモリ書き込み信号になる。
【００７２】
このようなシリアル信号ａ１がＥＶＲ７５に供給されると、ＥＶＲ７５のメモリ９３のチャンネル１に対応する領域には、トリマー抵抗７１の摺動接点からの電圧を示すトリマー調整電圧データが記録され、Ｄ／Ａ変換部９４−１からはトリマー抵抗７１の摺動接点からの電圧と同じ値の電圧が出力される。この状態で、ユーザーは、内視鏡２に接続されたモニタに画像の色を見ながら、トリマー抵抗７１の摺動接点を適切な位置で停止させ、ＤＩＰスイッチ７４に対してメタルハライドランプに対応したＢゲインの調整の選択操作を行う。
【００７３】
ここで、ＤＩＰスイッチ７４をメタルハライドランプに対応したＢゲインの調整に切り換えると、ＥＶＲ７５のメモリ９３のチャンネル１に対応する領域には、ＤＩＰスイッチ７４を切り換える前の最後のデータが記録されたままとなり、Ｄ／Ａ変換部９４−１からはトリマー抵抗７１の現在の操作に関係なくＤＩＰスイッチ７４をメタルハライドランプのＢゲインの調整に切り換える前の最後の電圧値の電圧が出力されつづけることになる。
【００７４】
次に、ユーザーは、トリマー抵抗７１を操作して、トリマー抵抗７１の摺動接点からの電圧を変化させる。これにより、データ作成部８３が出力するシリアル信号ａ１は、先頭からＤ０，Ｄ１，Ｄ２…Ｄ７がトリマー抵抗７１の摺動接点からの電圧を示すトリマー調整電圧データ、次のＡ０，Ａ１がチャンネル２を示すチャンネル設定データ、最後のＷＲがメモリ書き込み信号になる。ＥＶＲ７５のメモリ９３のチャンネル２に対応する領域には、トリマー抵抗７１の摺動接点からの電圧を示すトリマー調整電圧データが記録され、Ｄ／Ａ変換部９４−２からはトリマー抵抗７１の摺動接点からの電圧と同じ値の電圧が出力される。
【００７５】
この状態で、ユーザーは、内視鏡２に接続されたモニタに画像の色を見ながら、トリマー抵抗７１の摺動接点を適切な位置で停止させ、ＤＩＰスイッチ７４に対してキセノンランプに対応したＲゲインの調整の選択操作を行う。
【００７６】
ＤＩＰスイッチ７４に対してメタルハライドランプに対応したＢゲインの調整からキセノンランプに対応したＲゲインの調整に切り換えると、ＥＶＲ７５のメモリ９３のチャンネル２に対応する領域には、ＤＩＰスイッチ７４を切り換える前の最後のデータが記録されたままとなり、Ｄ／Ａ変換部９４−２からはトリマー抵抗７１の現在の操作に関係なくＤＩＰスイッチ７４をキセノンランプに対応したＲゲインの調整に切り換える前の最後の電圧値の電圧が出力されつづけることになる。
【００７７】
この状態でユーザーは、光源装置３に光源ランプ６１としてキセノンランプを取り付け、トリマー抵抗７１を操作して、トリマー抵抗７１の摺動接点からの電圧を変化させる。これにより、ホワイトバランス調整用可変デジタルアンプ４４は、Ｄ／Ａ変換部９４−３，９４−４の出力に基づいてホワイトバランス調整を行う。また、データ作成部８３が出力するシリアル信号ａ１は、Ａ０，Ａ１がチャンネル３を示すチャンネル設定データになる。ＥＶＲ７５のメモリ９３のチャンネル３に対応する領域には、トリマー抵抗７１の摺動接点からの電圧を示すトリマー調整電圧データが記録され、Ｄ／Ａ変換部９４−３からはトリマー抵抗７１の摺動接点からの電圧と同じ値の電圧が出力される。ユーザーは、内視鏡２に接続されたモニタに画像の色を見ながら、トリマー抵抗７１の摺動接点を適切な位置で停止させ、この後にＤＩＰスイッチ７４に対してキセノンランプに対応したＢゲインの調整の選択操作を行う。
【００７８】
この後、トリマー抵抗７１を操作して、キセノンランプに対応したＢゲインの調整の選択操作を行う。データ作成部８３が出力するシリアル信号ａ１は、Ａ０，Ａ１がチャンネル４を示すチャンネル設定データとなり、Ｄ／Ａ変換部９４−４からはトリマー抵抗７１の摺動接点からの電圧と同じ値の電圧が出力される。
【００７９】
以上の操作により、メタルハライドランプに対応したＲゲイン、Ｂゲインの調整、キセノンランプに対応したＲゲイン、Ｂゲインの調整を完了する。
【００８０】
このような調整を完了した後、光源装置３に光源ランプ６１としてメタルハライドランプを取り付け、内視鏡装置１全体をオン状態にし、ホワイトバランス調整スイッチ１９をオンにすると、ホワイトバランス調整用可変デジタルアンプ４４は、Ｄ／Ａ変換部９４−１，９４−２の出力に基づいてホワイトバランス調整を行い、内視鏡２に接続したモニタには、メタルハライドランプに合わせてホワイトバランス調整された画像が表示される。
【００８１】
光源装置３に光源ランプ６１としてキセノンランプを取り付け、内視鏡装置１全体をオン状態にし、ホワイトバランス調整スイッチ１９をオンにする。これにより、ホワイトバランス調整用可変デジタルアンプ４４は、チャンネル３，４のＤ／Ａ変換部９４−３，９４−４の出力に基づいてホワイトバランス調整を行い、内視鏡２に接続したモニタには、キセノンランプに合わせてホワイトバランス調整された画像が表示される。
【００８２】
（効果）
このような実施の形態によれば、１つのトリマー抵抗７１でＤ／Ａ変換部９４−１，９４−２，９４−３，９４−４から出力される複数の調整電圧を調整を行うことができるので、ランプの種類毎に複数の調整用トリマー抵抗を設ける必要がなく、ゲイン設定回路の回路規模を縮小して、内視鏡装置を小型化するとともに製造コストを低減することができる。
【００８３】
尚、図１乃至図５に示した実施の形態では、本発明を内視鏡装置のホワイトバランスを調整するゲイン設定回路に適用したが、例えばテレビジョン受像機のチューナの各チャンネルの周波数を設定する設定回路等、他の電子機器にも適用可能である。
【００８４】
［付記］
以上詳述したような本発明の前記実施の形態によれば、以下の如き構成を得ることができる。
【００８５】
（付記項１）  調整するための調整電圧を出力可能な出力チャンネルを複数有する電子ボリューム手段と、
前記電子ボリューム手段の前記出力チャンネルを選択可能な出力チャンネル選択手段と、
前記出力チャンネル選択手段で選択された出力チャンネルからの調整電圧を変更可能なトリマー抵抗と、
を具備したことを特徴とする電子機器。
【００８６】
（付記項２）  調整するための調整電圧を出力可能な出力チャンネルを複数有する電子ボリューム手段と、
前記電子ボリューム手段の前記出力チャンネルを選択可能な選択信号を出力する出力チャンネル選択手段と、
前記調整電圧を変更可能なトリマー抵抗と、
前記トリマー抵抗の出力と前記選択信号とに基づき、前記電子ボリューム手段を制御する電子ボリューム制御手段と、
を具備したことを特徴とする電子機器。
【００８７】
（付記項３）  複数の調整箇所に調整電圧を供給する電子ボリュームと、
１つのトリマー抵抗と、
このトリマー抵抗の出力をデジタル値に変換するアナログ／デジタル変換回路と、
このアナログ／デジタル変換回路のデジタル出力を電子ボリュームに供給する電子ボリュームコントロール回路と、
を設けたことを特徴とする内視鏡装置。
【００８８】
（付記項４）  前記複数の調整箇所は映像信号のゲインの調整であることを特徴とする付記項３に記載の内視鏡装置。
【００８９】
（付記項５）  前記複数の調整箇所は映像信号の色成分の調整であることを特徴とする付記項３に記載の内視鏡装置。
【００９０】
【発明の効果】
以上述べた様に本発明によれば、１つのトリマー抵抗で複数の調整電圧を調整を行うことが出来るので、複数の調整電圧を出力する電子機器の回路規模を縮小して、該電子機器を小型化するとともに製造コストを低減することができる。
【図面の簡単な説明】
【図１】本発明の実施の形態に係る内視鏡装置の全体構成を示すブロック図。
【図２】本発明の実施の形態に係る内視鏡装置のゲイン設定回路を示すブロック図。
【図３】本発明の実施の形態に係る内視鏡装置のＥＶＲコントロール回路を詳細に説明するブロック図。
【図４】本発明の実施の形態に係る内視鏡装置のＥＶＲコントロール回路が出力するシリアル信号を示す説明図。
【図５】本発明の実施の形態に係る内視鏡装置のＥＶＲの要部を示すブロック図である。
【符号の説明】
１            …内視鏡装置
２            …内視鏡
３            …光源装置
１１          …挿入部
１２          …操作部
１３          …ライトガイド
１４          …配光光学系
１５          …対物光学系
１６          …ＣＣＤ撮像素子
１７          …波形成形回路
１８          …ビデオプロセッサ
１９          …ホワイトバランス調整スイッチ
２１          …映像信号処理回路
２２          …制御マイクロプロセッサ
２３          …ＲＯＭ
２４          …設定回路
３１          …映像信号処理用ＤＳＰ
３２            …ドライブアンプ
３３          …プリアンプ
３４          …ＣＤＳ回路
３５          …Ａ／Ｄ変換回路
４１          …ＳＳＧ
４２          …ＣＣＤ駆動ＴＧ
４３          …色分離回路
４４          …ホワイトバランス調整用可変デジタルアンプ
４５          …デジタルエンコーダ
６１          …光源ランプ
６２          …集光光学系
７１          …識別信号発生回路調整用トリマー抵抗
７２          …Ａ／Ｄ変換回路
７３          …ＥＶＲコントロール回路
７４          …ＤＩＰ
７５          …ＥＶＲ
８１          …チャンネル設定部
８２          …メモリ書き込み信号発生部
８３          …データ作成部
９１          …パラレル／シリアル変換部
９２          …データバス
９３          …メモリ
９４−１，９４−２，９４−３，９４−４  …Ｄ／Ａ変換部
【図１】
2004166914.tif 000003
【図２】
2004166914.tif 000004
【図３】
2004166914.tif 000005
【図４】
2004166914.tif 000006
【図５】
2004166914.tif 000007